(57)【特許請求の範囲】
【請求項１】
汚泥を圧送するポンプと、
前記ポンプの吸込口よりも汚泥の移送方向上流側及び／又は前記ポンプの吐出口よりも前記移送方向下流側に設けられて汚泥流路を形成する導電性の配管と、
前記配管内に配設された電極と、
前記導電性の配管を陰極、前記配管内の電極を陽極として前記汚泥流路内の汚泥に電圧を印加し、汚泥中の水分を前記配管の内面側に誘導するための電源とを備えて構成されていることを特徴とする汚泥搬送装置。
【請求項２】
請求項１記載の汚泥搬送装置において、
前記汚泥流路の汚泥の圧力が高くなる高圧領域に前記導電性の配管及び前記電極が配設されていることを特徴とする汚泥搬送装置。
【請求項３】
請求項１または請求項２に記載の汚泥搬送装置において、
前記ポンプの駆動に伴い、前記汚泥の吐出圧または吸込圧が所定の圧力以上になるとともに前記汚泥に電圧を印加するように構成されていることを特徴とする汚泥搬送装置。
【請求項４】
請求項１から請求項３のいずれか一項に記載の汚泥搬送装置において、
前記ポンプの負荷が所定の値以上になると前記汚泥に電圧を印加するように構成されていることを特徴とする汚泥搬送装置。
【請求項５】
請求項１から請求項４のいずれか一項に記載の汚泥搬送装置において、
前記電極が前記導電性の配管の内面に沿う周方向に間隔をあけて複数配設されていることを特徴とする汚泥搬送装置。
【請求項６】
請求項１から請求項４のいずれか一項に記載の汚泥搬送装置において、
前記電極がスパイラル状に形成され、中心軸方向を前記導電性の配管の中心軸と同方向に向けて配設されていることを特徴とする汚泥搬送装置。
【発明の詳細な説明】
【技術分野】
【０００１】
本発明は、脱水汚泥を搬送供給するための汚泥搬送装置に関する。
【背景技術】
【０００２】
従来、下水汚泥などを脱水処理した後の汚泥（脱水汚泥）を搬送して設備等に供給するために汚泥搬送装置が用いられている。また、この種の汚泥搬送装置は、例えば、脱水汚泥を一時的に貯留する汚泥ホッパと、汚泥ホッパに配管で繋がり、汚泥を搬送先まで圧送するための汚泥ポンプとを備えて構成されている。また、汚泥ポンプには、コンクリート移送用などの高圧仕様のピストン型や軸ネジ式、ロータリー式等の一定のポンプ容積を繰り返し吐出する容積型のポンプが用いられている。
【０００３】
ここで、例えば下水汚泥などの脱水汚泥は、重量比で７０〜８５％程度が水分で極めて流動性が小さく、ニュートン流体として流動するのではなく、固形のまま配管内面を摺るように低速で移動する（いわゆる「ずり」）ビンガム流体となり、極めて大きな移送抵抗を示す。また、この移送抵抗は水分が少ないほど増大する。
【０００４】
また、ピストン型や軸ネジ式などの容量型ポンプのポンプ効率は、ポンプの実容積に対する汚泥の吸込流入量（充填量）の比率（吸込効率）によって決まる。また、ポンプ自身の吸引圧力でポンプ内に汚泥を吸い込む場合には、流動性が低い汚泥ほど、負圧が生じて空気を吸い込んでしまい、吸込効率が著しく小さくなる。
【０００５】
このため、一般に、汚泥ポンプの吸込側、すなわち汚泥ホッパと汚泥ポンプの間にスクリューやアーム型のパドルなどを回転させて汚泥を練りながら加圧し、汚泥を汚泥ポンプに向けて押し込む押込装置を設けるようにしている（例えば、特許文献１、特許文献２参照）。このような押込装置を設けることによって負圧による空気吸込みを軽減することができ、また、汚泥を練る効果によって移送抵抗の低減を図ることができる。
【０００６】
一方、近年、脱水汚泥の水分をさらに低減する技術開発が進み、水分が７０％以下の汚泥にも対応することが求められている。しかしながら、このような水分が７０％以下の汚泥に対しては吸込効率が６０％を下回る状況まで汚泥ポンプの圧送能力が低下したり、また、汚泥流路の配管抵抗（移送抵抗）が増大し搬送できなくなる状況が発生してしまう。
【０００７】
これに対し、脱水汚泥の吸込効率の向上や移送抵抗の低減を図る手法の研究が多数行われている。例えば、混練装置で脱水汚泥を混練してから移送する手法、脱水汚泥を加温して汚泥中の水分子を動きやすくする手法、脱水汚泥に油を添加（滴下）し、汚泥表面の抵抗を低減する手法、脱水汚泥に水を添加（滴下）し、汚泥表面に水膜を形成して表面抵抗を低減する手法などが提案、実用化されている（例えば、特許文献３、特許文献４、特許文献５参照）。
【先行技術文献】
【特許文献】
【０００８】
【特許文献１】特許第４３２８８３３号公報
【特許文献２】特許第４９３７２１６号公報
【特許文献３】特許第４４５０５２８号公報
【特許文献４】特許第２７２９７４４号公報
【特許文献５】特開平０１−１０５１００号公報
【発明の概要】
【発明が解決しようとする課題】
【０００９】
しかしながら、混練装置を用いる手法は、非常に大きな動力が必要になったり、汚泥を混練することによってさらに空気を巻き込むなどの悪循環に陥るおそれがある。
【００１０】
汚泥を加温する手法は、汚泥の全量を加温するため、膨大な熱量、熱交換の設備が必要になる。
【００１１】
油を添加（滴下）する手法は、ポンプ吐出側の抵抗を低減することが可能であるが、ポンプの吸込効率を改善することはできない。また、燃料を過剰に使用する欠点がある。さらに、油は揮発性があるため、添加部分や移送先での引火等に対する措置も必要になる。また、例えば堆肥化など、処理後の汚泥を焼却以外に利用する場合には油分の混入が問題になってその適用自体が困難になってしまう。
【００１２】
水を添加（滴下）する手法は、脱水汚泥に再度水を加えることになり、移送先の処理（例えば焼却の燃料消費量が増えるなど）に影響してしまう。
【課題を解決するための手段】
【００１３】
本発明の汚泥搬送装置は、汚泥を圧送するポンプと、前記ポンプの吸込口よりも汚泥の移送方向上流側及び／又は前記ポンプの吐出口よりも前記移送方向下流側に設けられて汚泥流路を形成する導電性の配管と、前記配管内に配設された電極と、前記導電性の配管を陰極、前記配管内の電極を陽極として前記汚泥流路内の汚泥に電圧を印加し、汚泥中の水分を前記配管の内面側に誘導するための電源とを備えて構成されていることを特徴とする。
【００１４】
この発明においては、導電性の配管を陰極、配管内の電極を陽極として汚泥流路内の汚泥に電圧を印加することにより、汚泥中の水分を配管の内面側に誘導することができ、配管の内面と汚泥の外面との間に水膜を形成することができる。
これにより、配管の内面と汚泥の外面との間に形成された水膜が潤滑層となり、汚泥に対して水を添加（滴下）した場合と同様に、汚泥の移送抵抗を低減させることが可能になる。
【００１５】
また、本発明の汚泥搬送装置においては、前記汚泥流路の汚泥の圧力が高くなる高圧領域に前記導電性の配管及び前記電極が配設されていることが望ましい。
【００１６】
この発明においては、例えば、ポンプの吐出口近傍や配管のエルボ部（屈曲部）など、汚泥流路で移送される汚泥の圧力が他の部分よりも高くなる高圧領域に導電性の配管及び電極を設けることによって、効果的に移送抵抗を低減することができ、汚泥の搬送効率を効果的に向上させることができる。
【００１７】
さらに、本発明の汚泥搬送装置においては、前記ポンプの駆動に伴い、前記汚泥の吐出圧または吸込圧が所定の圧力以上になると前記汚泥に電圧を印加するように構成されていることがより望ましい。
【００１８】
この発明においては、ポンプの駆動によって汚泥を移送する際に、汚泥の吐出圧または吸込圧を計測し、この汚泥の吐出圧または吸込圧が予め設定した所定の圧力以上になった段階で汚泥に電圧を印加する。これにより、移送抵抗が減少して汚泥の吐出圧または吸込圧が予め設定した所定の圧力以下になるとともに、配管の内面と汚泥の外面との間に水膜を形成し、汚泥の移送抵抗を低減させることができる。よって、より効果的且つ効率的に汚泥の移送抵抗を低減させることができる。すなわち、移送抵抗を制御して好適な汚泥の搬送状態を維持することができる。
【００１９】
また、本発明の汚泥搬送装置においては、前記ポンプの負荷が所定の値以上になるとともに前記汚泥に電圧を印加するように構成されていてもよい。
【００２０】
この発明においては、ポンプの駆動によって汚泥を移送する際に、ポンプの負荷を計測し、このポンプの負荷が予め設定した所定の値以上になった段階で汚泥に電圧を印加する。これにより、移送抵抗が減少して汚泥の吐出圧または吸込圧が予め設定した所定の圧力以下になるとともに、配管の内面と汚泥の外面との間に水膜を形成し、汚泥の移送抵抗を低減させることができる。よって、より効果的且つ効率的に汚泥の移送抵抗を低減させることができ、移送抵抗を制御して好適な汚泥の搬送状態を維持することができる。
【００２１】
さらに、本発明の汚泥搬送装置においては、前記電極が前記導電性の配管の内面に沿う周方向に間隔をあけて複数配設されていることが望ましい。
【００２２】
この発明においては、電極が導電性の配管の内面に沿う周方向に間隔をあけて複数配設されていることにより、配管の内面に沿って連続する水膜を好適に形成することができる。
【００２３】
さらに、本発明の汚泥搬送装置においては、前記電極がスパイラル状に形成され、中心軸方向を前記導電性の配管の中心軸と同方向に向けて配設されていてもよい。
【００２４】
この発明においても、配管の内面に沿って連続する水膜を好適に形成することができる。
【発明の効果】
【００２７】
本発明の汚泥搬送装置においては、配管内で汚泥を移送するとともに、汚泥と配管の間に電圧を印加することによって、電気浸透の効果で配管の内面側に水膜を形成することができる。これにより、汚泥に注水する場合と同様、配管内面に形成された水膜が潤滑剤の役目を果たし、移送抵抗（管路抵抗）を低減させることが可能になる。
【００２８】
よって、本発明の汚泥搬送装置によれば、従来の混練装置を用いる手法、汚泥を加温する手法、油を添加（滴下）する手法、水を添加（滴下）する手法の不都合を解消することができ、効率的且つ効果的に移送抵抗の低減を実現することが可能になる。
【図面の簡単な説明】
【００２９】
【図１】本発明の一実施形態に係る汚泥搬送装置を示す図である。
【図２】本発明の一実施形態に係る汚泥搬送装置の電圧印加手段を示す断面図である。
【図３】本発明の一実施形態に係る汚泥搬送装置の電圧印加手段を示す斜視図である。
【図４】本発明の一実施形態に係る汚泥搬送装置の電圧印加手段の変更例を示す断面図である。
【図５】本発明の一実施形態に係る汚泥搬送装置の電圧印加手段の変更例を示す斜視図である。
【図６】本発明の一実施形態に係る汚泥搬送装置の電圧印加手段の変更例を示す斜視図である。
【発明を実施するための形態】
【００３０】
以下、図１から図３を参照し、本発明の一実施形態に係る汚泥搬送装置及び汚泥搬送方法について説明する。
【００３１】
本実施形態は、例えば下水汚泥などを脱水処理した後の脱水汚泥（以下、汚泥という）を焼却炉などの所望の設備に搬送供給するための汚泥搬送装置に関するものである。
【００３２】
具体的に、本実施形態の汚泥搬送装置Ａは、図１に示すように、汚泥Ｓを一時的に貯留する汚泥ホッパ１と、汚泥ホッパ１に繋がり、汚泥Ｓを搬送先まで圧送するための汚泥ポンプ（ポンプ）２とを備えて構成されている。
【００３３】
また、本実施形態の汚泥搬送装置Ａは、汚泥ホッパ１と汚泥ポンプ２の間に、汚泥ホッパ１から汚泥Ｓを受けるとともに汚泥ポンプ２側に押し込むための押込装置３が設けられている。さらに、押込装置３と汚泥ポンプ２の吸込口２ａとが汚泥供給管（配管）４で接続され、汚泥ポンプ２の吐出口２ｂと搬送先の設備等が汚泥移送管（配管）５で接続されている。
【００３４】
汚泥ホッパ１は、上端側に汚泥投入口１ａ、下端側に汚泥排出口１ｂを備えて形成されている。また、レベル検出器１ｃが設けられ、内部に貯留された汚泥Ｓを検知し、汚泥ホッパ１内への汚泥Ｓの投入量等を制御できるように構成されている。
【００３５】
押込装置３は、汚泥ホッパ１の汚泥排出口１ｂの下方に、且つ駆動軸６ａを横方向に配して設けられたスクリュー６と、スクリュー６を駆動軸６ａの軸線Ｏ１周りに回転させるための駆動機７とを備えている。これにより、駆動機７を駆動してスクリュー６を回転させることにより、汚泥排出口１ｂを通じて汚泥ホッパ１から汚泥Ｓを受けつつ順次汚泥供給管４を通じて汚泥Ｓを汚泥ポンプ２に押し込むことができるように構成されている。
【００３６】
汚泥供給管４は、一端を汚泥ホッパ１の汚泥排出口１ｂ側に接続し、スクリュー６の先端と対向するように設けられている。
【００３７】
汚泥ポンプ２は、汚泥供給管４の他端、汚泥移送管５の一端にそれぞれ接続して配設されている。また、本実施形態の汚泥ポンプ２は、汚泥圧送用シリンダ９ａ及び汚泥圧送用ピストン９ｂからなる汚泥圧送機構９を備え、汚泥圧送用ピストン９ｂの進退駆動によって汚泥供給管４の他端から汚泥Ｓを吸引、押圧し、汚泥移送管５に圧送できるように構成されている。
【００３８】
さらに、本実施形態の汚泥ポンプ２は、吸込バルブシリンダ１０ａ及び吸込ピストンバルブ１０ｂからなる汚泥吸込機構１０を備え、吸込ピストンバルブ１０ｂの進退駆動によって汚泥供給管４の他端を開閉し、汚泥供給管４内の汚泥Ｓを他端から吸引できるように構成されている。
【００３９】
さらに、本実施形態の汚泥ポンプ２は、吐出バルブシリンダ１１ａ及び吐出ピストンバルブ１１ｂからなる汚泥吐出機構１１を備え、吐出ピストンバルブ１１ｂの進退駆動によって汚泥移送管５の一端を開閉し、１０ｂ汚泥圧送用ピストンの進退駆動と連動して汚泥移送管５内に汚泥Ｓを吐出させるように構成されている。
【００４０】
さらに、本実施形態の汚泥搬送装置Ａにおいては、汚泥ポンプ２の吸込口２ａよりも汚泥Ｓの移送方向上流側と、汚泥ポンプ２の吐出口２ｂよりの移送方向下流側とにそれぞれ、移送される汚泥Ｓに電圧を印加する電圧印加手段１５が設けられている。
【００４１】
この電圧印加手段１５は、図１、図２及び図３に示すように、汚泥流路Ｒを形成する汚泥供給管４と汚泥移送管５の各管の一部として設けられた導電性の配管１６と、この配管１６の内部に設けられた電極１７と、導電性の配管１６が陰極、配管１６の内部に設けられた電極１７が陽極となるように接続した直流電源１８とを備えて構成されている。
【００４２】
また、本実施形態では、陽極となる電極１７として電極棒が用いられ、中心軸が汚泥供給管４や汚泥移送管５（導電性の配管１６）の中心軸と同軸上に配されるようにして、各管の内部に設置されている。
【００４３】
また、電圧印加手段１５は、直流回路の通電／遮断を制御する制御手段を備えている。さらに、本実施形態では、汚泥供給管４と汚泥移送管５の各配管の内部を移送する汚泥Ｓの圧力を検知する圧力検知手段が設けられており、圧力検知手段によって検知された汚泥Ｓの吐出圧または吸込圧が所定の圧力以上になるとともに制御手段が直流回路に通電させて汚泥Ｓに電圧を印加するように構成されている。
【００４４】
さらに、汚泥ポンプ２の負荷を検知するポンプ負荷検知手段が設けられており、ポンプ負荷検知手段によって検知されたポンプ２の負荷が所定の値以上になるとともに制御手段が直流回路に通電させて汚泥Ｓに電圧を印加するように構成されている。
【００４５】
そして、上記構成からなる本実施形態の汚泥搬送装置Ａにおいては、汚泥ホッパ１に供給した汚泥Ｓが汚泥排出口１ｂを通じてスクリュー６に順次供給され、駆動機７の駆動によって軸線Ｏ１周りにスクリュー６が回転することにより汚泥供給管４に汚泥Ｓが押込まれて搬送される。また、汚泥ポンプ２の駆動によって汚泥供給管４から汚泥ポンプ２に汚泥Ｓが吸い込まれ、さらに汚泥移送管５に汚泥Ｓが圧送される。
【００４６】
ここで、本実施形態の汚泥搬送装置Ａにおいては、圧力検知手段によって検知された汚泥Ｓの吐出圧または吸込圧が所定の圧力以上になるとともに制御手段が電圧印加手段１５を制御して汚泥Ｓに電圧を印加する。また、ポンプ負荷検知手段によって検知されたポンプ２の負荷が所定の値以上になるとともに制御手段が電圧印加手段１５を制御して汚泥Ｓに電圧を印加する。
【００４７】
このようにして電圧印加手段１５の導電性の配管１６と、導電性の配管１６の内部に配設された電極１７の間（汚泥Ｓ）に電圧が印加されると、汚泥Ｓ中の水分が配管１６の内面側に誘導され、配管１６の内面側に水膜が形成される。そして、この水膜が潤滑層を形成し、汚泥Ｓの移送抵抗（管路抵抗）が低減する。
【００４８】
すなわち、スクリュー６によって汚泥供給管４に押し込まれた汚泥Ｓの外周に水膜が形成されることで、汚泥ポンプ２による吸込効率が向上することになる。
また、従来、汚泥Ｓの移送抵抗が大きいと、汚泥Ｓが汚泥ポンプ２に吸入されにくくなって空気を巻き込みながら吸入されてしまうケースがあるが、本実施形態のように水膜が潤滑層となって移送抵抗が低減することにより、空気の吸い込みが抑止される。これにより、汚泥ポンプ２の吸込効率が向上し、汚泥ポンプ２の所要動力を低減することが可能になる。
【００４９】
さらに、汚泥ポンプ２の駆動によって汚泥移送管５に移送した汚泥Ｓに電圧が印加されることで、汚泥移送管５の導電性の配管１６の内面と汚泥Ｓの外周との間に水膜が形成され、この水膜によって移送抵抗が低減することにより、汚泥ポンプ２による吐出効率が向上することになる。
【００５０】
したがって、本実施形態の汚泥搬送装置Ａ及び汚泥搬送方法においては、導電性の配管１６を陰極、配管１６内の電極１７を陽極として汚泥流路Ｒ内の汚泥Ｓに電圧を印加することにより、汚泥Ｓ中の水分を配管１６（汚泥供給管４、汚泥移送管５）の内面側に誘導することができ、配管１６の内面と汚泥Ｓの外面との間に水膜を形成することができる。
これにより、配管１６の内面と汚泥Ｓの外面との間に形成された水膜が潤滑層となり、汚泥Ｓに対して水を添加した場合と同様に、汚泥Ｓの移送抵抗を低減させることが可能になる。
【００５１】
さらに、汚泥ポンプ２の駆動によって汚泥Ｓを移送する際に、汚泥Ｓの吐出圧または吸込圧を計測し、この汚泥Ｓの吐出圧または吸込圧が予め設定した所定の圧力以上になった段階で汚泥Ｓに電圧を印加する。これにより、移送抵抗が減少して汚泥Ｓの吐出圧または吸込圧が予め設定した所定の圧力以下になるとともに、配管１６の内面と汚泥Ｓの外面との間に水膜を形成し、汚泥Ｓの移送抵抗を低減させることができる。よって、より効果的且つ効率的に汚泥Ｓの移送抵抗を低減させることができる。すなわち、移送抵抗を制御して好適な汚泥Ｓの搬送状態を維持することができる。
【００５２】
また、汚泥ポンプ２の駆動によって汚泥Ｓを移送する際に、汚泥ポンプ２の負荷を計測し、この汚泥ポンプ２の負荷が予め設定した所定の値以上になった段階で汚泥Ｓに電圧を印加する。これにより、移送抵抗が減少して汚泥Ｓの吐出圧または吸込圧が予め設定した所定の圧力以下になるとともに、配管１６の内面と汚泥Ｓの外面との間に水膜を形成し、汚泥Ｓの移送抵抗を低減させることができる。よって、より効果的且つ効率的に汚泥Ｓの移送抵抗を低減させることができ、移送抵抗を制御して好適な汚泥Ｓの搬送状態を維持することができる。
【００５３】
よって、本実施形態の汚泥搬送装置Ａ及び汚泥搬送方法においては、配管１６内で汚泥Ｓを移送するとともに、汚泥Ｓと配管１６の間に電圧を印加することによって、電気浸透の効果で配管１６の内面側に水膜を形成することができる。これにより、汚泥Ｓに注水する場合と同様、配管１６の内面に形成された水膜が潤滑剤の役目を果たし、移送抵抗を低減させることが可能になる。
【００５４】
これにより、従来の混練装置を用いる手法、汚泥を加温する手法、油を添加する手法、水を添加する手法の前述の不都合を解消することができ、効率的且つ効果的に移送抵抗の低減を実現することが可能になる。
【００５５】
以上、本発明に係る汚泥搬送装置及び汚泥搬送方法の一実施形態について説明したが、本発明は上記の一実施形態に限定されるものではなく、その趣旨を逸脱しない範囲で適宜変更可能である。
【００５６】
例えば、本実施形態では、汚泥供給管４と汚泥移送管５にそれぞれ電圧印加手段１５を設けるようにしたが、汚泥ポンプ２の吸込口２ａよりも汚泥Ｓの移送方向上流側と、汚泥ポンプ２の吐出口２ｂよりの移送方向下流側のいずれか一方に電圧印加手段１５を設けて汚泥Ｓに電圧を印加するようにしてもよい。
この場合においても、移送抵抗を低減させることができる。
【００５７】
さらに、例えば、汚泥ポンプ２の吐出口２ｂ近傍やエルボ部（屈曲部）など、汚泥流路Ｒで移送される汚泥Ｓの圧力が他の部分よりも高くなる高圧領域、圧力が最も高くなる高圧領域に、局部的に電圧印加手段１５を設けてもよい。この場合には、効果的に移送抵抗を低減することができ、汚泥Ｓの搬送効率を効果的に向上させることができる。
【００５８】
また、本実施形態では、配管１６内に設ける陽極の電極１７が電極棒であるものとして説明を行ったが、本発明の電極１７は、図４に示すように、導電性の配管１６の内面に沿う周方向に間隔をあけて複数配設してもよい。そして、この場合には、電極１７が導電性の配管１６の内面に沿う周方向に間隔をあけて複数配設されていることで、配管１６の内面に沿って連続する水膜を好適に形成することができる。
【００５９】
また、図５に示すように、電極１７がスパイラル状に形成され、中心軸方向を導電性の配管１６の中心軸と同方向（略同方向を含む）に向けて配設されていてもよい。この場合においても、配管１６の内面に沿って連続する水膜を好適に形成することができる。
【００６０】
さらに、図６に示すように、電極１７を管状（筒状）に形成し、中心軸方向を導電性の配管１６の中心軸と同方向（略同方向を含む）に向けて配設してもよい。この場合においても、配管１６の内面に沿って連続する水膜を好適に形成することができる。
【００６１】
また、スクリュー６を陽極の電極１７として用いてもよい。
【符号の説明】
【００６２】
１      汚泥ホッパ
１ａ    汚泥投入口
１ｂ    汚泥排出口
１ｃ    レベル検出器
２      汚泥ポンプ（ポンプ）
２ａ    吸込口
２ｂ    吐出口
３      押込装置
４      汚泥供給管（配管）
５      汚泥移送管（配管）
６      スクリュー
６ａ    駆動軸
７      駆動機
９      汚泥圧送機構
９ａ    汚泥圧送用シリンダ
９ｂ    汚泥圧送用ピストン
１０    汚泥吸込機構
１０ａ  吸込バルブシリンダ
１０ｂ  吸込ピストンバルブ
１１    汚泥吐出機構
１１ａ  吐出バルブシリンダ
１１ｂ  吐出ピストンバルブ
１５    電圧印加手段
１６    導電性を有する配管
１７    電極
Ａ      汚泥搬送装置
Ｒ      汚泥流路
Ｓ      汚泥
【図１】
0006409244.tif 000002
【図２】
0006409244.tif 000003
【図３】
0006409244.tif 000004
【図４】
0006409244.tif 000005
【図５】
0006409244.tif 000006
【図６】
0006409244.tif 000007